(57)【要約】【課題】乾燥設備等に設置され乾燥設備等の内部の湿気を外部に排出するための排気装置について、製造コストを高めることなく開閉ダンパを自動的に開閉できるようにする。【解決手段】乾燥設備等Ｄに接続された排気筒１の内部に開閉ダンパ３が取付けられている。開閉ダンパ３を閉鎖方向に弾圧付勢する閉鎖用バネ材４と、開閉ダンパ３を開放方向に弾圧付勢する開放用バネ材５５とを備えている。開放用バネ材５５は、高温時に閉鎖用バネ材４の弾圧に抗して開閉ダンパ３を開放させるように変形する形状記憶合金で形成されている。【選択図】図１
0003161554.tif 000002
【実用新案登録請求の範囲】
【請求項１】
乾燥設備等に接続された排気筒の内部に開閉ダンパが取付けられた排気装置において、開閉ダンパを閉鎖方向に弾圧付勢する閉鎖用バネ材と、開閉ダンパを開放方向に弾圧付勢する開放用バネ材とを備え、開放用バネ材は高温時に閉鎖用バネ材の弾圧に抗して開閉ダンパを開放させるように変形する形状記憶合金で形成されていることを特徴とする排気装置。
【請求項２】
請求項１の排気装置において、開放用バネ材は高温時に軸長が伸張して弾性が発揮され低温時に弾性が低減されるコイルスプリングとされ軸長の伸張方向を開閉ダンパの方向へ規制するガイドシャフトが挿通されていることを特徴とする排気装置。
【請求項３】
請求項１または２の排気装置において、開閉ダンパは排気筒の軸方向と直交する方向に対して傾斜して閉鎖されることを特徴とする排気装置。
【請求項４】
請求項１〜３のいずれかの排気装置において、開閉ダンパは排気筒の外部から開閉状態を目視することのできる目印が設けられていることを特徴とする排気装置。
【考案の詳細な説明】
【技術分野】
【０００１】
本考案は、乾燥設備等に設置され乾燥設備等の内部の湿気を外部に排出するための排気装置に係る技術分野に属する。
【背景技術】
【０００２】
一般的に、乾燥設備等では、乾燥を促進するために内部の湿気を外部に排出するための排気装置が設置される。この排気装置には、乾燥設備等の内部の温度が高く湿度が高い場合に開放され、乾燥設備等の内部の温度が低く湿度が低い場合に閉鎖されるように、乾燥設備等の内部，外部を連通，遮断する開閉ダンパが備えられる。
【０００３】
従来、開閉ダンパを備えた排気装置としては、例えば、特許文献１に記載のものが知られている。
【０００４】
特許文献１には、乾燥設備等に接続された排気筒の内部にソレノイドで開閉駆動される開閉ダンパが取付けられた排気装置が記載されている。
【０００５】
特許文献１に係る排気装置は、ソレノイドの作動（励磁）によって開閉ダンパが迅速に開閉駆動されるものである。
【先行技術文献】
【特許文献】
【０００６】
【特許文献１】特開２００４−８６４３号公報
【考案の概要】
【考案が解決しようとする課題】
【０００７】
特許文献１に係る排気装置では、開閉ダンパの開閉駆動源としてソレノイドを使用することから、開閉ダンパを自動的に開閉させようとすると温度センサ，コントローラ等が必要になるため、製造コストが高くなるという問題点がある。
【０００８】
本考案は、このような問題点を考慮してなされたもので、製造コストを高めることなく開閉ダンパを自動的に開閉させることのできる排気装置を提供することを課題とする。
【課題を解決するための手段】
【０００９】
前述の課題を解決するため、本考案では、乾燥設備等に接続された排気筒の内部に開閉ダンパが取付けられた排気装置において、開閉ダンパを閉鎖方向に弾圧付勢する閉鎖用バネ材と、開閉ダンパを開放方向に弾圧付勢する開放用バネ材とを備え、開放用バネ材は高温時に閉鎖用バネ材の弾圧に抗して開閉ダンパを開放させるように変形する形状記憶合金で形成されていることを特徴とする手段を採用する。
【００１０】
この手段では、温度変化で自然に変形する形状記憶合金で形成された開放用バネ材によって開閉ダンパを開閉駆動することで、特許文献１に係る排気装置における温度センサ，コントローラ等が不要になる。
【００１１】
また、本考案では、開放用バネ材は高温時に軸長が伸張して弾性が発揮され低温時に弾性が低減されるコイルスプリングとされ軸長の伸張方向を開閉ダンパの方向へ規制するガイドシャフトが挿通されていることを特徴とする手段を採用する。
【００１２】
この手段では、開放用バネ材として直線的に変形するコイルスプリングが選択されることで、開閉ダンパを開閉駆動するための開放用バネ材の動作域が小さくなる。
【００１３】
また、本考案では、開閉ダンパは排気筒の軸方向と直交する方向に対して傾斜して閉鎖されることを特徴とする手段を採用する。
【００１４】
この手段では、開閉ダンパが傾斜して閉鎖されることで、短い開閉軌跡で大きな開放角度を構成することができる。
【００１５】
また、本考案では、開閉ダンパは排気筒の外部から開閉状態を目視することのできる目印が設けられていることを特徴とする手段を採用する。
【００１６】
この手段では、開閉ダンパに開閉状態を目視することのできる目印が設けられることで、排気筒の外部から一見して開閉ダンパの開閉状態を把握することができる。
【考案の効果】
【００１７】
本考案に係る排気装置は、温度変化で自然に変形する形状記憶合金で形成された開放用バネ材によって開閉ダンパを開閉駆動することで、温度センサ，コントローラ等が不要になるため、製造コストを高めることなく開閉ダンパを自動的に開閉させることができる効果がある。
【図面の簡単な説明】
【００１８】
【図１】本考案に係る排気装置を実施するための形態の縦断面図であり、（Ａ）に開閉ダンパの閉鎖状態が示され、（Ｂ）に開閉ダンパの開放状態が示されている。
【図２】図１（Ａ）のＸ−Ｘ線断面図である。
【図３】図１（Ｂ）の簡略化した縮小斜視図である。
【考案を実施するための形態】
【００１９】
以下、本考案に係る排気装置を実施するための形態を図面に基づいて説明する。
【００２０】
この形態では、熱風で食器類を乾燥させたり消毒保管したりする食器類乾燥装置，食器類消毒保管装置からなる乾燥設備等Ｄへの設置に好適なものを示してある。
【００２１】
この形態は、図１に示すように、乾燥設備等Ｄの天部に縦型に設置される排気筒１に受座２，開閉ダンパ３，閉鎖用部材４，開放用部材５が取付けられている。
【００２２】
排気筒１は、乾燥設備等Ｄの天部に立上げられるようにして接続され、方形の筒形に形成された本体部１１が乾燥設備等Ｄの内部，外部を連通して湿気Ｗの排気路を構成するものである。本体部１１の下部には、乾燥設備等Ｄへの接続のための取付用フランジ１２が張り出して設けられている。本体部１１の上部は、上端口がゴミ等の侵入を防止するために庇形の天板１３で閉塞され、天板１３の下位にある側面部に細幅の排気口１４が開口されている。また、本体部１１の側部の下方寄りには、丸孔からなる複数個の覗孔１５が穿孔されている。また、本体部１１の側部の下方寄りの覗孔１５が穿孔された面と直交する面の隅部には、スリット状の窓１６が開口されている（図３参照）。
【００２３】
受座２は、方形の窓枠形状に形成され排気筒１の本体部１１の内部の下方寄り（排気筒１の覗孔１５，窓１６よりも下方）に取付け固定されている。この受座２は、図１（Ａ）に示すように、排気筒１の本体部１１の軸方向と直交する方向に対して約２０度の角度θで傾斜されている。なお、この受座２の両端部は、排気筒１の本体部１１の内壁に沿って上方，下方に延長されて略コ字型を呈し、開閉ダンパ３，開放用部材５の取付けに利用されている。
【００２４】
開閉ダンパ３は、受座２の上方に延長された部分で排気筒１の本体部１１の内壁に固定された平板な取付座３１と、受座２の開口面よりも広い面積の開閉板３２と、取付座３１，開閉板３２との間に取付けられたヒンジ３３とからなる。開閉板３２の平板な板形の本体部３２ａの一辺（ヒンジ３３が取付けられた辺と直交する辺）には、ほぼ９０度上方に屈曲された補強片３２ｂが設けられている。開閉板３２の補強片３２ｂのヒンジ３３側の端部には、舌片形の突片３２ｃが形成されている。この開閉板３２の突片３２ｃは、開閉ダンパ３の開閉の際に、排気筒１の窓１６から出没する。開閉板３２のほぼ中央には、長軸がヒンジ３３方向に位置し端軸が補強片３２ｂ方向に位置する長孔３２ｄが穿孔されている。
【００２５】
閉鎖用部材４は、開閉ダンパ３のヒンジ３３に組込まれたトーションコイルスプリング等の閉鎖用バネ材からなる。この閉鎖用部材４は、開閉ダンパ３の開閉板３２を受座２に押付けるように弾圧する。
【００２６】
開放用部材５は、受座２の下方に延長された部分で排気筒１の本体部１１の内壁に固定されて突出されたカップ形の取付座５１と、取付座５１に挿通され開閉ダンパ３の開閉板３２の長孔３２ｄに貫通されてさらに上方へ延びたガイドシャフト５２と、ガイドシャフト５２の下端部に取付けられガイドシャフト５２を取付座５１に抜止めする抜止ピン５３と、ガイドシャフト５２に嵌挿されてガイドシャフト５２の取付座５１との接触摩擦を低減するワッシャ５４と、開閉ダンパ３の開閉板３２の下方でガイドシャフト５２に嵌挿されてた開放用バネ材５５と、ガイドシャフト５２に嵌挿されてガイドシャフト５２の開閉ダンパ３の開閉板３２の長孔３２ｄとの接触摩擦を低減するワッシャ５６と、ガイドシャフト５２の上端部に取付けられガイドシャフト５２からワッシャ５６を抜止めする抜止ピン５７とからなる。開放用バネ材５５は、高温時に軸長が伸張するニッケル−チタン系の形状記憶合金で形成されたコイルスプリングからなる。この開放用バネ材５５は、ニッケル−チタン系の形状記憶合金の特性から、高温時に弾性を強力に発揮し低温時に弾性を低減する機能を有している。この開放用バネ材５５の高温時に弾性は、閉鎖用バネ材４の弾性よりも強力になるように設定されている。
【００２７】
この形態によると、乾燥設備等Ｄの内部の温度が低い場合（食器類乾燥装置，食器類消毒保管装置からなる乾燥設備等Ｄは通常湿度が低くなっている）には、図１（Ａ）に示すように、開放用部材５の開放用バネ材５５の軸長が短縮される。従って、開閉ダンパ３は、開閉板３２が閉鎖用部材４の弾性で受座２に押付けられることで閉鎖されることになる。このとき、弾性が低減した開放用バネ材５５は、閉鎖用部材４の弾性によって軸長が収縮される。開閉ダンパ３が閉鎖されると、乾燥設備等Ｄの内部，外部が遮断され乾燥設備等Ｄの内部への虫，ゴミ等の侵入を防止することができる。
【００２８】
逆に、乾燥設備等Ｄの内部の温度が高い場合（食器類乾燥装置，食器類消毒保管装置からなる乾燥設備等Ｄは通常湿度が高くなっている）には、図１（Ｂ）に示すように、開放用部材５の開放用バネ材５５の軸長が伸張される。従って、開閉ダンパ３は、開閉板３２が閉鎖用部材４の弾性に抗する開放用部材５の開放用バネ材５５の弾性で受座２から押上げられることで開放される。開閉ダンパ３が開放されると、乾燥設備等Ｄの内部，外部が連通され乾燥設備等Ｄの内部の湿気Ｗを外部に上昇排出させることができる。
【００２９】
この開閉ダンパ３の開閉は、温度変化にともなう開放用部材５の開放用バネ材５５の変形で自動的に駆動される。従って、特許文献１に係る排気装置における温度センサ，コントローラ等が不要になるため、製造コストを低減することができる。
【００３０】
この開放用部材５の開放用バネ材５５の変形については、６０℃で軸長が伸張し５０℃で軸長が収縮するように設定するのが好ましい。なお、開閉ダンパ３の開閉については、徐動となって特許文献１に係る排気装置のような迅速性を期待することができない。ただし、食器類乾燥装置，食器類消毒保管装置からなる乾燥設備等Ｄでは、長時間の処理が行われて頻繁に開閉ダンパ３が開閉されるわけではないので、全く支障は生じない。
【００３１】
さらに、この形態によると、開放用部材５の開放用バネ材５５として直線的に変形するコイルスプリングが選択されることで、開閉ダンパ３を開閉駆動するための開放用バネ材５５の動作域を小さくすることができ、装置全体の小型化が可能になる。また、開放用部材５のコイルスプリングからなる開放用バネ材５５の軸長の伸張がガイドシャフト５２に案内されるため、開放用バネ材５５の変形が捻れ等を生ずることなく正確に実行される。
【００３２】
また、開閉ダンパ３が閉鎖時に受座２によって傾斜されているため、開閉ダンパ３を短い開閉軌跡で大きな開放角度を構成させることができる。
【００３３】
また、開閉ダンパ３が開放されると、開閉ダンパ３の開閉板３２の突片３２ｃが排気筒１の窓１６から突出されるため、開閉ダンパ３の開閉状態を目視することのできる目印が設けられることになって、排気筒１の外部から一見して開閉ダンパ３の開閉状態を把握することができる。同様に、排気筒１の覗孔１５からの開閉ダンパ３の開閉状態を把握することもできる。
【００３４】
以上、図示した形態の外に、排気筒１を乾燥設備等Ｄの側部に接続する横型に構成することも可能である。
【産業上の利用可能性】
【００３５】
本考案に係る排気装置は、食器類乾燥装置，食器類消毒保管装置以外の広範な乾燥設備等Ｄへの設置が可能である。また、小型から大型まで乾燥設備等Ｄの装置規模に対応して大きさを変更することが可能である。
【符号の説明】
【００３６】
１            排気筒
２            受座
３            開閉ダンパ
３２          開閉板
３２ｃ        突片（目印）
４            閉鎖用部材（閉鎖用バネ材）
５            開放用部材
５２          ガイドシャフト
５５          開放用バネ材
Ｄ            乾燥設備等
Ｗ            湿気
【図１】
0003161554.tif 000003
【図２】
0003161554.tif 000004
【図３】
0003161554.tif 000005
【手続補正書】
【提出日】平成22年5月27日(2010.5.27)
【手続補正１】
【補正対象書類名】実用新案登録請求の範囲
【補正対象項目名】請求項１
【補正方法】変更
【補正の内容】
【請求項１】
食器類乾燥装置又は食器類消毒保管装置に接続された排気筒の内部に開閉ダンパが取付けられた排気装置において、開閉ダンパを閉鎖方向に弾圧付勢する閉鎖用バネ材と、開閉ダンパを開放方向に弾圧付勢する開放用バネ材とを備え、開放用バネ材は高温時に閉鎖用バネ材の弾圧に抗して開閉ダンパを開放させるように変形する形状記憶合金で形成されていることを特徴とする排気装置。